(57)【要約】【課題】役物に入った遊技球にこれまでにない動きを行わせることができて、遊技者に対して高い興趣を与えられるものとする。【解決手段】遊技球発射機構から射出されて盤面１０内を移動する遊技球３のうちの特定条件を満たすものが導かれる役物５を備得る。該役物５は、導かれた磁性体からなる遊技球３を電磁力にて弾いて役物５内の盤内に遊技球３を投入する電磁駆動部６を備える。役物内において遊技球にこれまでにない動きを与えることができる。【選択図】図１
2005205027.tif 000002
【特許請求の範囲】
【請求項１】
遊技球発射機構から射出されて盤面内を移動する遊技球のうちの特定条件を満たすものが導かれる役物を備えた遊技装置であって、上記役物は導かれた磁性体からなる遊技球を電磁力にて弾いて役物内の遊技盤内に遊技球を投入する電磁駆動部を備えていることを特徴とする遊技装置。
【請求項２】
電磁駆動部は遊技球を役物内の空中に打ち出すものであることを特徴とする請求項１記載の遊技装置。
【請求項３】
電磁駆動部は役物内における遊技球の移動経路の背面側に隠蔽されていることを特徴とする請求項１または２記載の遊技装置。
【請求項４】
電磁駆動部は遊技球を特定方向に弾くものであることを特徴とする請求項１〜３のいずれか１項に記載の遊技装置。
【請求項５】
電磁駆動部は遊技者が操作するスイッチの操作タイミングに応じて遊技球を弾く方向を変化させるものであることを特徴とする請求項１〜３のいずれか１項に記載の遊技装置。
【発明の詳細な説明】
【技術分野】
【０００１】
本発明は、遊技球、殊にパチンコ球のような磁性体からなる遊技球を用いる遊技装置に関するものである。
【背景技術】
【０００２】
遊技球を遊技盤内に打ち出す遊技装置においては、その遊技性や娯楽性を高めるために遊技盤内のの中央部に中央役物と称されている機器が設けられているものが多い。この中央役物は、遊技盤内に打ち出した遊技球が特定の入賞口に入った時、入賞に対する報償を増大させる機会を与えることができるものとして利用されていることが多いが、この種の中央役物において、中央役物内に入った遊技球を利用するタイプのものでは、単に遊技球の重力による落下経路を種々の部材で振り分けるだけであった。
【０００３】
このために遊技者にしてみれば、遊技球の動きに新鮮味がなく、さほど興趣が生じるものではない。
【特許文献１】特開２００３−３１０９５６号公報
【特許文献２】特開２００４−５１１号公報
【発明の開示】
【発明が解決しようとする課題】
【０００４】
本発明は上記の従来の問題点に鑑みて発明したものであって、役物に入った遊技球にこれまでにない動きを行わせることができるために、遊技者に対して高い興趣を与えることができる遊技装置を提供することを課題とするものである。
【課題を解決するための手段】
【０００５】
上記課題を解決するために本発明に係る遊技装置は、遊技球発射機構から射出されて盤面内を移動する遊技球のうちの特定条件を満たすものが導かれる役物を備えた遊技装置であって、上記役物は導かれた磁性体からなる遊技球を電磁力にて弾いて役物内の盤内に遊技球を投入する電磁駆動部を備えていることに特徴を有している。役物内において遊技球にこれまでにない動きを与えることができる。
【０００６】
この時、電磁駆動部が遊技球を役物内の空中に打ち出すものであれば、これまでとは趣向の異なる遊技球の動きで遊技者を楽しませることができる。
【０００７】
また、電磁駆動部が役物内における遊技球の移動経路の背面側に隠蔽されていると、遊技球は一見なにも無いところで弾かれる動きを行うために、遊技者にしてみれば、予測できない遊技球の動きを楽しむことができる。
【０００８】
上記の電磁駆動部は遊技球を特定方向に弾くものであってもよいが、電磁駆動部は遊技者が操作するスイッチの操作タイミングに応じて遊技球を弾く方向を変化させるものであると、遊技者は遊技をより楽しむことができる。
【発明の効果】
【０００９】
本発明は、磁性体からなる遊技球が役物内において電磁力にて弾かれて役物内の盤内に投入されるものであり、通常の重力を利用した遊技球の動きとは全く異なる動きを得ることができて、遊技における興趣を高めることができる。
【発明を実施するための最良の形態】
【００１０】
以下、本発明を添付図面に示す実施形態に基いて説明すると、図２に示す遊技装置１は、多数の釘１２やいくつかの役物（図示せず）が盤面１０に配設されているパチンコ型遊技装置１であり、発射機構２から射出された遊技球３はガイド用のレール１３を伝って盤面１０の上部に至り、釘１２や上記役物によって経路が変えられつつ落下していくとともに、この間に入賞口１４に入れば、遊技球３の払い戻しが行われる。
【００１１】
また上記盤面１０の中央には、中央役物５が配されている。この中央役物５は複数設けられている上記入賞口１４のうちの特定のものに入った時、その遊技球３が導かれてくるものであり、図２〜４に示すように、奥部には傾斜した盤面５０を備え、前端側には遊技球３の位置決めを行う球止め５１と電磁駆動部６とを備えている。図中５２は上記遊技球３を球止め５１まで導くレール、５４は盤面５０内に設けられた入賞口、５５はファール球を排出する排出口である。なお、図示例では複数の釘１２が配されている盤面５０を示しているが、このような盤面５０を備える中央役物５に限定されるものではない。
【００１２】
上記電磁駆動部６は、Ｕ字形ヨーク６０とこれに巻回したコイル６１、コイル６１にパルス電流を加えるパルス発生回路６２等からなるもので、ここでのパルス発生回路６２は、上記球止め５１に設けた一対の球検出電極６３，６３で遊技球３を検出した時、所定の遅延時間の後、パルス状の電流をコイル６１に印加する。
【００１３】
ここにおいて、ヨーク６０とコイル６１とで構成されている電磁石におけるヨーク６０の対向している両端部は、球止め５１に係止して止まっている遊技球３よりも少し後方で且つ上方に位置するように配置されている。このために上記パルス状電流がコイル６１に印加された時、磁性体で形成されている上記遊技球３の中心と、ヨーク６０における磁束中心６６との位置関係から、遊技球３は後方に向けて吸引駆動されるだけでなく、斜め上方に向けて飛び出して中央役物５内の空間を飛翔した後、盤面５０の奥部に至る。遊技者にしてみれば、中央役物５の下方に位置する遊技球３が空中を飛んで中央役物５の上方に至るというこれまでの遊技装置では見られない動きを楽しむことができるものである。
【００１４】
球止め５１の位置に遊技球３が存在しているかどうかは、図５に示すように、レール５２を伝って球止め５１に至る遊技球３がヨーク５２の両端部間を通過する際のコイル６１の電圧変化を基に検出するようにしてもよい。
【００１５】
図６及び図７に他例を示す。ここでの電磁駆動部６は、棒状のヨーク６０とコイル６１とを盤面５０の背方に配置して外部からは見えないようにしている。また、球止め５１は上記ヨーク６０の一端中心を通る磁束中心６６を中心とする円弧状に形成されており、レール５２を介して球止め５１に至った遊技球３は球止め５１上で左右転動を繰り返した後に停止する。
【００１６】
そしてコイル６１を励磁するパルス発生回路６２は、球止め５１上に遊技球３があることを条件として遊技者が操作するスイッチ６８が投入された時、コイル６１にパルス電流を印加する。この時、遊技球３は磁気吸引力で盤面５０上を高速で移動して盤面５０の奥方へと射出されるとともに、その射出方向はパルス電流がコイル６１に加えられた時の遊技球３の球止め５１上の位置によって変化する。また、コイル６１だけでなくヨーク６０も盤面５０の背方に隠蔽されていることから、遊技者にしてみれば、遊技球３がどのような力が作用して射出されるのかがわからないものであり、これ故に遊技者は興味を持って中央役物５を注視することになる。しかも、スイッチ６８の操作タイミングによって遊技球３の射出方向が変化することから、盤面５０上の入賞口５４に遊技球３が入るように操作する楽しみを遊技者にもたらすことができる。
【００１７】
なお、本例においても、遊技球３を球止め５１で停止させた状態から特定方向に射出するようにしてもよいのはもちろんであり、また、球止め５１は設けずに、レール５２上を通る遊技球３を検出してレール５２上を走行中の遊技球３を射出するようにしてもよい。この場合、特に後者の場合、遊技者にとっては遊技球３が何もないところで方向及び速度を突然変えて動くのを見ることになって、興趣をそそるものとなる。
【００１８】
図８は電磁駆動部６の更に他例を示しており、レール５２の終端部に円弧状部を設けるとともに、この円弧状部に沿ってヨーク６０とコイル６１とからなる電磁石を複数配置し、これら電磁石に順次パルス電流を供給することで、遊技球３がレール５２の円弧状部に沿って高速で吸引駆動されて円弧状部の終端から射出されるようにしたものである。
【００１９】
複数の電磁石を順次励磁している時のタイミングは、遊技球３を最も効率良く高速射出することができるものとしておくが、このタイミングを微小にずらすことで、遊技球３の射出距離を変化させることができるようにしておいてもよい。もちろん、コイル６１に印加するパルス電流の電流値を変化させることで遊技球３の射出距離を変化させることもできる。
【図面の簡単な説明】
【００２０】
【図１】本発明の実施の形態の一例における断面図である。
【図２】同上の全体を示す斜視図である。
【図３】同上の中央役物の正面図である。
【図４】同上の中央役物の部分平面図である。
【図５】遊技球検出に関する他例の説明図である。
【図６】別の例の部分断面図である。
【図７】同上の部分正面図である。
【図８】更に別の例の部分平面図である。
【符号の説明】
【００２１】
１  遊技装置
２  発射機構
３  遊技球
５  中央役物
６  電磁駆動部
１０  盤面
【図１】
2005205027.tif 000003
【図２】
2005205027.tif 000004
【図３】
2005205027.tif 000005
【図４】
2005205027.tif 000006
【図５】
2005205027.tif 000007
【図６】
2005205027.tif 000008
【図７】
2005205027.tif 000009
【図８】
2005205027.tif 000010